(57)【特許請求の範囲】
【請求項１】
無停電電源装置へ制御用電力を供給する制御電源により駆動される常時閉なる第１接点と、電磁リレーの常時開なる第２接点とを直列に接続して直列接点回路を構成し、
この直列接点回路を、商用電源と、負荷とバックアップ電源の並列接続回路との間に挿入し、
前記制御電源の出力が零のときは前記直列接点回路の負荷側を選択するが、該制御電源により駆動されれば前記直列接点回路の商用電源側を選択する切り換え接点と、
この切り換え接点と前記商用電源の他端との間に挿入されるダイオードとコンデンサとの直列接続回路とを備え、
前記電磁リレーのコイルを前記コンデンサに並列に接続することを特徴とする常時商用給電方式無停電電源装置の商用電源ラッチ装置。
【発明の詳細な説明】
【０００１】
【発明の属する技術分野】
この発明は、制御電源が故障した場合でも、商用電源から負荷への電力の供給または遮断の状態を、そのまま継続できる常時商用給電方式無停電電源装置の商用電源ラッチ装置に関する。
【０００２】
【従来の技術】
図４は常時商用給電方式無停電電源装置の第１従来例を示した回路図である。この第１従来例回路は、負荷１０とバックアップ電源９との並列接続回路と、商用電源１との間に常時閉接点２を挿入し、この常時閉接点２を制御電源８で駆動する構成であるが、この制御電源８は、当該無停電電源装置に備えている各種制御回路へ動作用電力を供給する電源である。図４の第１従来例回路に図示の常時商用給電方式無停電電源装置では、閉路している常時閉接点２を介して、商用電源１から負荷１０へ交流電力が供給される。バックアップ電源９は、例えば電力変換器とバッテリーとの組み合わせで構成されていて、通常は商用電源１からの交流電力をバッテリーに充電しており、商用電源１が停電すれば、バッテリーに蓄えた電力を負荷１０へ放出する。このとき制御電源８は常時閉接点２へ開路指令を発してこれを開路させることにより、バックアップ電源９からの電力が商用電源１へ逆流するのを防止する。
【０００３】
また、商用電源１が正常に運転している場合でも、商用電源１から負荷１０への交流電力の供給を止めたい場合は、制御電源８へ駆動指令を与えることで常時閉接点２を開路させる。
図５は常時商用給電方式無停電電源装置の第２従来例を示した回路図である。この第２従来例回路は、負荷１０とバックアップ電源９との並列接続回路と商用電源１との間に常時開接点３を挿入し、この常時開接点３を制御電源８で駆動する構成であるが、この制御電源８は当該無停電電源装置に備えている各種制御回路へ動作用電力を供給するのは、前述の第１従来例回路の場合と同じである。図５の第２従来例回路に図示の常時商用給電方式無停電電源装置では、制御電源８に駆動指令を与えることで常時開接点３を閉路させ、商用電源１からの交流電力を負荷１０へ供給する。
【０００４】
【発明が解決しようとする課題】
前述した図４の第１従来例回路では、例えば商用電源１が停電してバックアップ電源９が負荷１０へ電力を供給するときは、常時閉接点２を開路させておかなければならないが、制御電源８が故障すると常時閉接点２を開路させておくための電力を喪失するから、常時閉接点２は閉路状態となる不具合を生じる。あるいは、商用電源１から負荷１０への電力を遮断するべく常時閉接点２を開路状態にしているにもかかわらず、制御電源８が故障すれば常時閉接点２は閉路状態になって、商用電源１と負荷１０とが接続されてしまう不具合を生じる。
【０００５】
また図５の第２従来例回路では、商用電源１が負荷１０へ交流電力を供給中に制御電源８が故障すれば、常時開接点３はその動作電力を喪失して開路してしまう。すなわち商用電源１が正常であるにもかかわらず、負荷１０への電力供給が中断して停電状態となる不都合を生じる。
そこでこの発明の目的は、商用電源と負荷との間に挿入されて制御電源で駆動される接点の開閉状態が、前記制御電源が故障した場合でも、当該制御電源故障前の状態を維持できるようにすることにある。
【０００６】
【課題を解決するための手段】
前記の目的を達成するために、この発明の常時商用給電方式無停電電源装置の商用電源ラッチ装置は、
無停電電源装置へ制御用電力を供給する制御電源により駆動される常時閉なる第１接点と、電磁リレーの常時開なる第２接点とを直列に接続して直列接点回路を構成し、
この直列接点回路を、商用電源と、負荷とバックアップ電源の並列接続回路との間に挿入し、
前記制御電源の出力が零のときは前記直列接点回路の負荷側を選択するが、該制御電源により駆動されれば前記直列接点回路の商用電源側を選択する切り換え接点と、
この切り換え接点と前記商用電源の他端との間に挿入されるダイオードとコンデンサとの直列接続回路とを備え、
前記電磁リレーのコイルを前記コンデンサに並列に接続する。
【０００７】
【発明の実施の形態】
図１は本発明の実施例を表した回路図である。この実施例回路において、制御電源１８により駆動されて開路するが、制御電源１８の出力が零のときは閉路する常時閉なる第１接点１２と、電磁リレーの常時開なる第２接点１３とを直列に接続して直列接点回路１１を構成し、これを商用電源１と負荷１０との間に挿入するのであるが、負荷１０にはバックアップ電源９を並列に接続する。
【０００８】
この直列接点回路１１の両端には、そのいずれかを選択できる切り換え接点１４が接続されており、当該直列接点回路１１の他端は、ダイオード１５とコンデンサ１７との直列回路を介して商用電源１の一端に接続される。なお切り換え接点１４は、前記制御電源１８の出力により駆動される場合は直列接点回路１１の商用電源１側を選択するが、制御電源１８の出力が零の場合は直列接点回路１１の負荷１０側を選択するように動作する。また第２接点１３を備えている電磁リレーのコイル１６は、コンデンサ１７に並列に接続される。
【０００９】
図２は図１に図示の実施例回路で、商用電源の交流出力が遮断されている状態を表した回路図であって、制御電源１８が第１接点１２を駆動してこれを開路させているが、この制御電源１８から切り換え接点１４への出力は零であるから、切り換え接点１４は図示のように負荷１０側を選択している。従ってコイル１６は無励磁であり、第２接点１３は開路している。
【００１０】
よって、図２の状態にあるときに制御電源１８が故障してその出力が零になった場合は、第１接点１２が閉路状態に切り替わるだけで、切り換え接点１４は動かないから第２接点１３もそのままの状態を維持する。すなわち、商用電源１の出力が遮断されているときに制御電源１８が故障しても、商用電源１の出力は遮断されたままの状態を維持する。
【００１１】
図３は図１に図示の実施例回路で、商用電源の交流出力が負荷へ供給されている状態を表した回路図であって、この場合は制御電源１８の出力が零で第１接点１２を閉路状態にすると共に、制御電源１８が切り換え接点１４を駆動して直列接点回路１１の商用電源１側へ切り換えるから、商用電源１→切り換え接点１４→ダイオード１５→コンデンサ１７→商用電源１の経路で電流が流れてコイル１６を励磁し、第２接点１３を閉路させる。従って商用電源１からの交流電力が負荷１０へ与えられる。
【００１２】
なお、商用電源１と負荷１０との接続が完了すると、制御電源１８に指令が与えられて、切り換え接点１４は負荷１０側から商用電源１側へ切り替わるが、この切り換え動作中でもコイル１６はコンデンサ１７の蓄積電荷で励磁され続けているから、第２接点１３は閉路状態を維持する。
この状態のときに制御電源１８が故障してその出力が零になっても、第１接点１２は閉路状態を続けるし、切り換え接点１４もその接点が負荷１０側にある状態を続けるから、商用電源１からの交流電力は負荷１０へ供給され続ける。
【００１３】
【発明の効果】
従来の常時商用給電方式無停電電源装置では、商用電源と負荷との間に挿入する接点を制御電源で駆動する構成にしていたために、商用電源と負荷との接続状態が、制御電源が正常なときと制御電源が故障した後とでは異なってしまう不具合があった。これに対して本発明では、商用電源が負荷へ交流電力供給中に制御電源が故障しても、商用電源はそのまま交流電力の供給を継続できるし、これとは逆に商用電源の出力が遮断されているときは、制御電源が故障しても、商用電源の交流出力はそのまま遮断状態を継続するので、商用電源をラッチできる効果が得られる。
【図面の簡単な説明】
【図１】本発明の実施例を表した回路図
【図２】図１に図示の実施例回路で、商用電源の交流出力が遮断されている状態を表した回路図
【図３】図１に図示の実施例回路で、商用電源の交流出力が負荷へ供給されている状態を表した回路図
【図４】常時商用給電方式無停電電源装置の第１従来例を示した回路図
【図５】常時商用給電方式無停電電源装置の第２従来例を示した回路図
【符号の説明】
１        商用電源
２        常時閉接点
３        常時開接点
８，１８  制御電源
９        バックアップ電源
１０        負荷
１１        直列接点回路
１２        常時閉なる第１接点
１３        常時開なる第２接点
１４        切り換え接点
１６        コイル
【図１】
0004151242.tif 000002
【図２】
0004151242.tif 000003
【図３】
0004151242.tif 000004
【図４】
0004151242.tif 000005
【図５】
0004151242.tif 000006